(57)【特許請求の範囲】
【請求項１】
複数のパーツで構成され、隣接する前記パーツ同士が近接位置あるいは分離位置に移動する第１可動部と、
前記パーツ同士が近接した場合、前記近接したパーツ同士の後方位置に後退し、前記パーツ同士が分離した場合、前記分離したパーツ同士の隙間である前方位置に進出する第２可動部と、
ベースと、
前記ベースに回動可能に支持され、前記パーツ同士の一方が固定されたメインリンクと、
前記ベースに回動可能に支持され、前記パーツ同士の他方が固定されたサブリンクと、
を備え、
前記パーツ同士の間に前記隙間を生じさせるように前記メインリンクを介して前記一方のパーツが回動されるとともに、前記サブリンクを介して前記第２可動部が前記前方位置に進出すること、
を特徴とする遊技機。
【請求項２】
複数のパーツで構成され、隣接する前記パーツ同士が近接位置あるいは分離位置に移動する第１可動部と、
前記パーツ同士が近接した場合、前記近接したパーツ同士の後方位置に後退し、前記パーツ同士が分離した場合、前記分離したパーツ同士の隙間である前方位置に進出する第２可動部と、
第３可動部と、
第４可動部と、
動力源と、
第１アームと、
第２アームと、
を備え、
前記第２可動部は、前記第１アーム及び前記第２アームを回動可能に支持し、
前記第３可動部は、前記第１アームに固定され、
前記第４可動部は、前記第２アームに固定され、
前記第１アーム、前記第２アームのいずれか一方が前記動力源の動力により回動されると、他方のアームが連動すること、
を特徴とする遊技機。
【発明の詳細な説明】
【技術分野】
【０００１】
本発明は、可動体により演出を行う遊技機に関する。
【背景技術】
【０００２】
例えば、可動体は遊技盤に設けられる。遊技盤は遊技球が流下する遊技領域を有する。最近の遊技機においては、可動体を複数設けているのが主流であり、複数の可動体により各種演出を行うよう構成されている。
【０００３】
例えば、３つの可動体が遊技盤に設けられ、３つの可動体のうちの一つが移動された後、その可動体の移動により空いた所に、他の可動体が移動されるように構成された従来の技術がある（例えば、特許文献１）。
【先行技術文献】
【特許文献】
【０００４】
【特許文献１】特開２００７−２３６６２６号公報
【発明の概要】
【発明が解決しようとする課題】
【０００５】
しかしながら、従来の技術では、一つの可動体が移動により空いた所に、他の可動体が移動されるため、可動体の移動が順番に行われ、一度に移動されるものでないため、遊技者の意識を十分に昂揚させるような演出にならず、遊技の興趣をさらに高めることができないという問題点があった。
【０００６】
本発明は、遊技の興趣をさらに高めることが可能な遊技機を提供することを目的とする。
【課題を解決するための手段】
【０００７】
かかる目的を達成するための本発明の請求項１に係る遊技機は、複数のパーツで構成され、隣接するパーツ同士が近接位置あるいは分離位置に移動する第１可動部と、パーツ同士が近接した場合、近接したパーツ同士の後方位置に後退し、パーツ同士が分離した場合、分離したパーツ同士の隙間である前方位置に進出する第２可動部と、ベースと、ベースに回動可能に支持され、パーツ同士の一方が固定されたメインリンクと、ベースに回動可能に支持され、パーツ同士の他方が固定されたサブリンクと、を備える。遊技機は、パーツ同士の間に隙間を生じさせるようにメインリンクを介して一方のパーツが回動されるとともに、サブリンクを介して第２可動部が前方位置に進出すること、を特徴とする。
さらに、請求項２に係る遊技機は、複数のパーツで構成され、隣接するパーツ同士が近接位置あるいは分離位置に移動する第１可動部と、パーツ同士が近接した場合、近接したパーツ同士の後方位置に後退し、パーツ同士が分離した場合、分離したパーツ同士の隙間である前方位置に進出する第２可動部と、第３可動部と、第４可動部と、動力源と、第１アームと、第２アームと、を備える。遊技機は、第２可動部が第１アーム及び第２アームを回動可能に支持し、第３可動部が第１アームに固定され、第４可動部が第２アームに固定され、第１アーム、第２アームのいずれか一方が動力源の動力により回動されると、他方のアームが連動すること、を特徴とする。
【発明の効果】
【０００８】
本発明の請求項１に記載の遊技機は、遊技の興趣をさらに高めることを可能にする。
【図面の簡単な説明】
【０００９】
【図１】本実施形態の遊技機１の全体を示す模式図。
【図２】遊技機１に配される遊技盤７０を示す模式図。
【図３】第２の態様に可変された遊技盤７０の正面図。
【図４】第３の態様に可変された遊技盤７０の正面図。
【図５】第４の態様に可変された遊技盤７０の正面図。
【図６】第１の態様から第４の態様における第２可動部３２０等の位置を一覧に示す図。
【図７】可動装置２００の左側面図。
【図８】可動装置２００の平面図。
【図９】可動装置２００の正面図。
【図１０】可動装置２００の底面図。
【図１１】図９のＡ−Ａ線断面図。
【図１２】ベースを除いた可動装置の左側面図。
【図１３】ベースを除いた可動装置の正面図。
【図１４】図１３のＢ−Ｂ線断面図。
【図１５】第２可動部３２０が前方に移動したときの可動装置の左側面図。
【図１６】第２可動部３２０が前方に移動したときの可動装置の正面図。
【図１７】可動装置２００を左側から見たときの模式図。
【図１８】第３可動部３３０が閉じ位置にあるときの第２可動部３２０の正面図。
【図１９】第３可動部３３０が開き位置にあるときの第２可動部３２０の正面図。
【図２０】開き位置にある第３可動部３３０、上向き位置にある第４可動部３４０、および、それらを連動させる機構の左側面図。
【図２１】閉じ位置にある第３可動部３３０、前向き位置にある第４可動部３４０、および、それらを連動させる機構の左側面図。
【図２２】図２０に示す第３可動部３３０等を左側（背後）から見たときの背面図。
【図２３】図２１に示す第３可動部３３０等を左側（背後）から見たときの背面図。
【図２４】閉じ位置における第３可動部３３０および前向き位置における第４可動部３４０等の模式図。
【図２５】開き位置における第３可動部３３０および上向き位置における第４可動部３４０等の模式図。
【図２６】第３可動部３３０が開き位置にあるときの可動装置の正面図。
【図２７】第５の態様から第７の態様における第２可動部３２０等の位置を一覧に示す図。
【発明を実施するための形態】
【００１０】
一実施形態に係る遊技機について各図を参照して説明する。
先ず、遊技機の基本的な構成について各図を参照して説明する。
【００１１】
[遊技機の基本構成]
以下、遊技機の基本的な構成について図面を参照して説明する。なお、以下の説明において、「上」、「下」、「左」、「右」、「表（前）」、「裏（後）」、「内」、及び、「外」は、特に断らない限り、遊技機１を遊技者側から見た場合における各方向を示すものとする。
【００１２】
図１は、本実施形態の遊技機１の全体を示す模式図である。図２は、遊技機１に配される遊技盤７０を示す模式図である。
【００１３】
図１に示す遊技機１は、所謂パチンコ機である。この遊技機１には、遊技盤７０が機内部に配置されている。遊技機１上には、遊技球Ｐを射出する打球装置２０がそのハンドル部分を前面に露出させて設けられている。遊技機１は、遊技者が打球装置２０のハンドルを操作することで遊技球Ｐを遊技盤７０上に射出する。ここで遊技盤７０上とは遊技盤７０の盤面上をいう。そして、遊技盤７０上には、入賞口７６等のポケットが配されており、遊技盤７０上を転動流下する遊技球Ｐがこの入賞口７６等に入球した場合に、所定数の遊技球Ｐを払い出す。遊技機１は、上皿３０や下皿４０を備えており、遊技球Ｐは、この上皿３０や下皿４０に払い出されて貯留される。
【００１４】
このような遊技機１は、機体の外郭をなす縦長方形状の外枠１０を備えている。外枠１０は、遊技ホールの島設備に取り付け固定される。外枠１０の下部は、合成樹脂製の腰板ユニット１１で構成されている。外枠１０の開口前面側には、各種の遊技用構成部材をセットするために縦長方形状の中枠１２が開閉可能に取り付けられている。外枠１０には、一方の側縁部にヒンジ機構１３が設けられており、中枠１２は、ヒンジ機構１３に枢支されることで開閉可能となっている。
【００１５】
中枠１２の前面側には、機内部に配置された遊技盤７０を透視保護するためのガラス枠を備えた前枠１４と上皿３０とが、横開き状態で開閉可能に組み付けられている。この前枠１４と上皿３０も外枠１０に設けられたヒンジ機構１３で枢支されることで開閉可能となっている。中枠１２の前面側において上皿３０の下方には、下皿４０や打球装置２０のハンドルが装着されている。
【００１６】
上皿３０には、その左方側に機内部から払出される遊技球Ｐの上皿払出口３１が設けられている。入賞等により払い出された遊技球Ｐは、上皿払出口３１から上皿３０に排出される。そして、上皿３０に貯留されている遊技球Ｐは、機内へ取り込まれて、打球装置２０によって遊技盤７０に向けて発射される。上皿３０の前面には、上皿球抜きボタン３２が設けられている。上皿３０と下皿４０とは、図示しない球抜き通路で繋がっている。球抜き通路は、上皿球抜きボタン３２の押下操作によって開通し、上皿３０に貯留されている遊技球Ｐを下皿４０に向けて流下させる。
【００１７】
遊技機１は、入賞、図柄変動、大当り状態、リーチ状態などの各種遊技の状態に応じた各種の演出を行う。遊技機１の前面側には、各種音声を出力して音声演出を行うスピーカ５０が配置されている。スピーカ５０は、前枠１４や中枠１２の裏面に装着されており、装着部位に対応する遊技機１の表面には図示しない放音孔が複数形成されている。各スピーカ５０は、効果音等の各種音声を出力し、音声出力に基づく遊技演出を行う。また、前枠１４のほぼ全周を囲むように装飾ランプ７５（図２参照）が配置されている。各装飾ランプ７５は、ＬＥＤランプ等の発光体を備え、遊技の状態に応じて点灯または消灯して、発光装飾に基づく遊技演出を行う。
【００１８】
図２に示すように、遊技盤７０の前面には、外レール７１と内レール７２が敷設されている。外レール７１と内レール７２は、パチンコ遊技の主体となるほぼ円形の遊技領域７４を遊技盤７０上に区画形成する。内レール７２は、外レール７１の内側に敷設されている。外レール７１と内レール７２とは、遊技盤７０の左下方から左上方に向かって延設されており、打球装置２０から射出された遊技球Ｐを遊技領域７４に誘導する円弧状の誘導路７３を形成している。
【００１９】
遊技盤７０の遊技領域７４には、複数の入賞口７６が配されている。これらの各入賞口７６は、遊技盤７０から前方向に直立し、上方に開口を有するポケット形状を有する。ポケット内部には、遊技球Ｐを検知するセンサが配されている。遊技機１は、入賞口７６に遊技球Ｐが入球すると、センサがこの入球を検知したことを契機として所定球数の遊技球Ｐが上皿３０に払い出される。遊技盤７０の遊技領域７４の最下部には、いずれの入賞口７６にも入球せずにアウト球となった遊技球Ｐが入球するアウト球口７７が配設されている。このアウト球口７７は、アウト球を回収して内部へ送出し、機外排出を行うために設けられている。
【００２０】
遊技盤７０の遊技領域７４には、中央に開口を有した大型の枠体であるセンター役物１００が装着されている。センター役物１００には遊技球が転動し得るステージが設けられている。
【００２１】
遊技領域７４内には、始動口７９が設けられている。この始動口７９は、遊技盤７０から前方向に直立し、上方に開口を有するポケット形状を有する。ポケット内部には、遊技球Ｐを検知するセンサが配されている。遊技機１は、始動口７９に遊技球Ｐが入球すると、センサがこの入球を検知したことを契機として図柄変動ゲームを開始する。
【００２２】
センター役物１００の開口には、図柄表示部７８および演出装置９０が配置されている。図柄表示部７８および演出装置９０をまとめて、「複合演出部」という場合がある。複合演出部には、複数種類の図柄を変動させて複数列の図柄からなる図柄組み合わせを導出する図柄変動ゲームなどの表示演出の画像が表示される。
【００２３】
図柄変動ゲームにおいて複合演出部では、複数種類の飾り図柄（以下、「飾図」と称す）を複数列で変動させて各列に飾図が表示される。飾図は、複合演出部で行われる表示演出を多様化するために用いられる演出用の図柄である。
【００２４】
複合演出部には、図柄変動ゲームで導出される３列の図柄毎に対応して、各列の図柄を停止表示させる３つの図柄表示位置ＨＰ１，ＨＰ２，ＨＰ３が定められている。停止表示では、複合演出部の各図柄表示位置ＨＰ１〜ＨＰ３において図柄の種類を遊技者が識別可能な状態で図柄が表示される。この停止表示には図柄が一時的に停止している一旦停止表示と、図柄が確定的に停止している確定停止表示とがある。
【００２５】
そして、複合演出部では、図柄変動ゲームが開始すると図柄が変動表示されるとともに、変動の停止によって各列の図柄表示位置ＨＰ１〜ＨＰ３に１つの図柄が一旦停止表示され、その後に図柄変動ゲームが終了すると各列の図柄表示位置ＨＰ１〜ＨＰ３に１つの図柄が確定停止表示される。変動表示では、複合演出部において図柄が予め定めた表示順序にしたがって変動しながら表示される。
【００２６】
図柄変動ゲームでは、各列に［１］〜［８］の８種類の数字が飾図として表示可能とされている。そして、複合演出部で図柄変動ゲームが開始すると、各列の図柄は、予め定められた表示順序で変動表示されるようになっている。
【００２７】
複合演出部には、当該複合演出部に定められる３つの図柄表示位置ＨＰ１〜ＨＰ３を結んでなる組み合わせ有効ラインＬが形成されている。なお、図２では、説明の便宜上、各図柄表示位置ＨＰ１〜ＨＰ３、及び有効ラインＬを図示しているが、実機においては、これらの図柄表示位置ＨＰ１〜ＨＰ３、及び有効ラインＬが目視可能な状態で表示されている必要はない。有効ラインＬに停止表示された３つの図柄からなる図柄組み合わせが、大当りか否かを遊技者に認識させるための有効な図柄組み合わせとなる。
【００２８】
図柄変動ゲームでは、有効ラインＬに停止表示させる３列の飾図を同一の飾図として形成した図柄組み合わせを、内部抽選で大当りを決定した場合に複合演出部に確定停止表示させる飾図の大当り図柄としている。例えば、飾図による大当りの図柄組み合わせは、［１１１］や［７７７］などである。一方、有効ラインＬに停止表示させる３列の飾図を同一の飾図とせずに形成した図柄組み合わせを、内部抽選ではずれを決定した場合に演出表示装置に確定停止表示させる飾図のはずれ図柄としている。３列の飾図が同一の飾図とならない場合には、３列の飾図の全てが異なる場合や、２列の飾図が同一で、かつ１列の飾図が異なる場合が含まれる。例えば、飾図のはずれ図柄組み合わせは、［１２３］、［１１５］、［７６７］や［８８９］などである。
【００２９】
さらに遊技領域７４には、大入賞口８０が配されている。大入賞口８０は、開閉動作可能な開閉扉８０ａで閉じられている。開閉扉８０ａは、図柄変動ゲームで大当りが決定されると、予め定めた開放時間や開放回数で開動作し、遊技球Ｐの入球を許容する。そして、大入賞口８０には、遊技球Ｐを検知するセンサが設けられており、遊技機１は、大入賞口８０への入球を検知すると、所定球数の遊技球Ｐを払い出す。
【００３０】
センター役物１００は、遊技機１の前後方向に所定の厚みを有しており、遊技盤７０の前面から少なくとも遊技球Ｐの直径以上の厚み分突出して取り付けられている。センター役物１００の枠体は、枠体上部１００ａ及び枠体下部１００ｂを有する。枠体上部１００ａは、複合演出部の上方において遊技領域７４を左右に横断している。枠体下部１００ｂは、複合演出部の下方において遊技領域７４を左右に横断している。センター役物１００のステージ１２２を転動する遊技球が勢い余って、裏ユニット（後述する）側に飛び出さないように仕切壁としての役割を担う仕切板１２０が設けられている。仕切板１２０は、複合演出部の表示を妨げないように透光性を有している。
【００３１】
遊技盤７０は裏ユニット（図示省略）を有している。なお、裏ユニットを含めて遊技盤７０という場合がある。
【００３２】
裏ユニットは遊技盤７０の背面に配設されている。裏ユニットの背面に複合演出部が取り付けられている。裏ユニットには複合演出部に対応するように開口が設けられている。
【００３３】
図２は第１の態様に可変された遊技盤７０の正面図、図３は第２の態様に可変された遊技盤７０の正面図、図４は、第３の態様に可変された遊技盤７０の正面図、図５は、第４の態様に可変された遊技盤７０の正面図、図６は、第１の態様から第４の態様における各部材の動き、位置を一覧に示す図である。
【００３４】
図２に、可動装置２００が演出装置９０の背後にあって、演出装置９０により前方から覆われたときの第１の態様を示す（図６参照）。第１の態様では、演出装置９０は、展開位置（遊技盤７０の前方の中央部）に移動され、図柄表示部７８と共に、図柄変動ゲームなどの表示演出の画像が表示される。このとき、第１可動部３１０は、近接位置にある。さらに、第２可動部３２０は後方位置にある。さらに、第３可動部３３０は閉じ位置にある。さらに、第４可動部３４０は前向き位置にある。
【００３５】
図３に、演出装置９０が展開位置から格納位置（遊技盤７０の上部および下部）に移動され、可動装置２００が前方に露出されたときの第２の態様を示す（図６参照）。図４に、第１可動部３１０が分離位置に移動され、第２可動部３２０が前方位置に進出されたときの第３の態様を示す（図６参照）。図５に、第３可動部３３０が閉じ位置から開き位置に回動され、第４可動部３４０が前向き位置から上向き位置に回動されたときの第４の態様を示す（図６参照）。
【００３６】
この遊技機１は、演出装置９０および可動装置２００が遊技状態に応じて、制御部（図示省略）により第１の態様〜第４の態様に変化可能に制御される。
【００３７】
以下、演出装置９０が展開位置（遊技盤７０の前方の中央部）から格納位置（遊技盤７０の上部および下部）に移動され、可動装置２００が前方に露出されたときの（第２の態様〜第３の態様における）可動装置２００について説明する。その後で、第３可動部３３０が閉じ位置と開き位置との間に回動され、第４可動部３４０が前向き位置と上向き位置との間に回動される（第３の態様〜第４の態様における）可動装置２００について説明する。
【００３８】
〔可動装置２００〕
次に、可動装置２００について図７〜図１１を参照して説明する。
【００３９】
図７は可動装置２００の左側面図、図８は装置の平面図、図９は、可動装置２００の正面図、図１０は、装置の底面図、図１１は図９のＡ−Ａ線断面図である。
図７〜図１１に示すように、可動装置２００は、第１可動部３１０、第２可動部３２０、第３可動部３３０、第４可動部３４０、平行リンク機構４００Ａ、スライダクランク機構５００Ａ、および、連動機構６００Ａを有する。
【００４０】
平行リンク機構４００Ａ、および、スライダクランク機構５００Ａが、第２の態様〜第３の態様における可動装置２００を構成する。連動機構６００Ａが、第３の態様〜第４の態様における可動装置２００を構成する。
【００４１】
（第１可動部３１０）
第１可動部３１０は、第１のパーツ３１１、第２のパーツ３１２、および、第３のパーツ３１３を備える。
【００４２】
図７〜図１１に示すように、各パーツ３１１〜３１３は、遊技盤の前方にあって、上から下に向かって、第１のパーツ３１１、第２のパーツ３１２、および、第３のパーツ３１３の順に配置される。ここで、第２のパーツ３１２が「パーツ同士の一方」に相当し、第３のパーツ３１３が「パーツ同士の他方」に相当する。パーツ同士は、後述する平行リンク機構４００Ａ、スライダクランク機構５００Ａにより、近接され、かつ、分離される。
【００４３】
各パーツ３１１〜３１３は、近接されて一体となり、鬼の面を形成する。第１のパーツ３１１、第２のパーツ３１２、および、第３のパーツ３１３が、面の上部（額）の形状、面の中央部（眼球、鼻、頬、上顎など）の形状、および、面の下部（下顎）の形状を有する。
【００４４】
第１のパーツ３１１の背面には背面部材（図示省略）がねじで固定される。背面部材は、第２リンク部４２０（後述する）と一体的に形成される。背面部材には基板（図示省略）が固定される。基板には、額の形状を光らせるための発光ダイオード（図示省略）、および、外部電力が供給されるコネクタが設けられる。
【００４５】
第２のパーツ３１２の背面には背面部材（図示省略）がねじで固定される。背面部材は、メインリンク４００（後述する）と一体的に形成される。背面部材には基板（図示省略）が固定される。基板は、第１のパーツ側の基板とケーブルで接続される。眼球の形状は、透光性を有している。面に形成された開口（眼球の形状の外形を有する）に嵌め込まれる。基板には、眼球の形状を光らせるための発光ダイオード（図示省略）が設けられる。
【００４６】
第３のパーツ３１３の背面には背面部材（図示省略）がねじで固定される。背面部材は、サブリンク５００にねじで固定される。背面部材には基板（図示省略）が固定される。基板には、下顎の形状を光らせるための発光ダイオード（図示省略）、および、外部電力が供給されるコネクタが設けられる。
【００４７】
なお、各パーツ３１１〜３１３、および、平行リンク機構、スライダクランク機構５００Ａを構成する部材の位置を説明する場合、各パーツ３１１〜３１３が近接されたときの各部材の位置を「近接位置」という場合がある（図７および図９参照）。さらに、各パーツ３１１〜３１３が分離されたときの各部材の位置を「分離位置」という場合がある（図１５および図１６参照）。
【００４８】
（第２可動部３２０）
図１２はベースを除いた可動装置２００の左側面図、図１３はベースを除いた可動装置２００の正面図、図１４は図１３のＢ−Ｂ線断面図である。
図１２〜図１４に示すように、第２可動部３２０は、第１可動部３１０の背後に配置される。第２可動部３２０は、ダルマの形状を有する表面部材と、背面部材（図示省略）とを前後から組み合わせたものである。背面部材は、サブリンク５００（後述する）に固定される。第２可動部３２０の上下方向の大きさは、約８０ｍｍである。
第２可動部３２０は、スライダクランク機構５００Ａにより、前後方向に移動可能に構成される。
【００４９】
図１５は第２可動部３２０が前方に移動したときの可動装置２００の左側面図、図１６は、第２可動部３２０が前方に移動したときの可動装置２００の正面図である。
図１２、図１５および図１６に示すように、ここで、第２可動部３２０、および、スライダクランク機構５００Ａを構成する部材の位置を説明する場合、第２可動部３２０が前方に移動したときの各部材の位置を「前方位置」という場合がある。さらに、第２可動部３２０が後方に移動したときの各部材の位置を「後方位置」という場合がある（図１２参照）。
【００５０】
さらに、原則として、第１可動部３１０、平行リンク機構４００Ａの構成部材についての説明では、「近接位置」、「分離位置」が用いられ、第２可動部３２０、スライダクランク機構５００Ａの構成部材についての説明では、「前方位置」、「後方位置」が用いられる。しかし、平行リンク機構４００Ａの構成部材が「近接位置」にあるとき、スライダクランク機構５００Ａの構成部材が「後方位置」にあるため、例外的に、「近接位置」をこのときのスライダクランク機構５００Ａの構成部材についての説明に用い、「後方位置」をこのときの平行リンク機構４００Ａの構成部材についての説明に用いる場合がある。
【００５１】
同様に、平行リンク機構４００Ａの構成部材が「分離位置」にあるとき、スライダクランク機構５００Ａの構成部材が「前方位置」にあるため、「分離位置」をこのときのスライダクランク機構５００Ａの構成部材についての説明に用い、「前方位置」をこのときの平行リンク機構４００Ａの構成部材についての説明に用いる場合がある。
【００５２】
第２可動部３２０、スライダクランク機構５００Ａの構成部材において、「後方位置」から「前方位置」に移動されるときの動作を、「前方移動」という場合がある。さらに、「前方位置」から「後方位置」に移動されるときの動作を、「後方移動」という場合がある。さらに、第１可動部３１０、平行リンク機構４００Ａの構成部材における近接されるときの動作を「後方移動」という場合がある。さらに、分離されるときの動作を、「前方移動」という場合がある。
【００５３】
（第３可動部３３０、第４可動部３４０）
次に、第３可動部３３０および第４可動部３４０について、図１５および図１６を参照して説明する。
【００５４】
図１５および図１６に示すように、第２可動部３２０は、第３可動部３３０および第４可動部３４０を有する。
第３可動部３３０は、ダルマの下顎の形状を有する。第４可動部３４０は、ダルマの眼球の形状を有する。眼球の形状の背後には、眼球の形状を光らせるための発光ダイオード（図示省略）が配置される。発光ダイオードは基板（図示省略）に設けられ、基板は第２可動部３２０の背面部材に固定される。第３可動部３３０および第４可動部３４０は、連動機構６００Ａにより、相互に連動するように構成される。
【００５５】
この実施形態では、先ず、第１のパーツ３１１および第２のパーツ３１２を近接かつ分離させる平行リンク機構４００Ａについて説明する。次に、第２のパーツ３１２および第３のパーツ３１３を近接かつ分離させ、さらに、第２可動部３２０を進退させるスライダクランク機構５００Ａについて説明する。次に、第３可動部３３０および第４可動部３４０を連動させる連動機構６００Ａについて説明する。
【００５６】
〔平行リンク機構４００Ａ〕
次に、平行リンク機構４００Ａについて図１２および図１５を参照して説明する。
図１２および図１５に示すように、平行リンク機構４００Ａは、ベース２０１と、メインリンク４００と、第１リンク部４１０と、第２リンク部４２０とを有する。
【００５７】
（ベース２０１、メインリンク４００、第１リンク部４１０）
メインリンク４００の後端部は、軸部材２１１によりベース２０１に回動可能に支持される。メインリンク４００の前端部には、第２のパーツ３１２が固定される。メインリンク４００の中間部には、軸部材２１２により第１リンク部４１０の下端部が回動可能に連結される。
【００５８】
（第２リンク部４２０）
第２リンク部４２０は、メインリンク４００に対し平行に配置される。
第２リンク部４２０の後端部は、軸部材２１４によりベース２０１に回動可能に支持される。第２リンク部４２０の前端部には第１のパーツ３１１が固定される。第２リンク部４２０の中間部には、軸部材２１３により第１リンク部４１０の上端部が回動可能に連結される。
【００５９】
（平行リンク機構４００Ａの働き）
以上のように構成された平行リンク機構４００Ａの働きについて、図１２、図１５および図１７を参照して説明する。
【００６０】
図１７は、平行リンク機構４００Ａを左側から見たときの模式図である。図１７において、上方、下方、右方（平行リンク機構において前方）、左方（平行リンク機構において後方）を、Ｚ１、Ｚ２、Ｙ１、Ｙ２で示す。さらに、図１７に、軸部材２１１〜２１４を支点Ａ〜Ｄで示す。なお、各支点Ａ〜Ｄの位置関係において、支点Ｄは支点Ａの上方に配置され、支点Ｃは支点Ｂの上方に配置される。
【００６１】
さらに、図１７に、近接位置におけるメインリンク４００、第１リンク部４１０、第２リンク部４２０、および、ベース２０１を、線分ＡＰ、線分ＢＣ、線分ＲＤ、線分ＤＡで示す。さらに、近接位置における第１のパーツ３１１を線分ＲＳ、第２のパーツ３１２を線分ＰＱで示す。分離位置におけるメインリンク４００、第１リンク部４１０、および、第２リンク部４２０を、線分ＡＰ´、線分Ｂ´Ｃ´、線分Ｒ´Ｄで示す。さらに、分離位置における第１のパーツ３１１を線分Ｒ´Ｓ´、第２のパーツ３１２を線分Ｐ´Ｑ´で示す。
【００６２】
線分ＡＢ、線分ＣＤの長さは、約３０ｍｍ、線分ＢＣ、線分ＤＡの長さは、約１３．５ｍｍである。これにより、線分ＡＢ（線分ＡＰ）、線分ＣＤ（線分ＲＤ）の平行関係が保たれる。さらに、点Ｒが点Ｐの上方に配置された関係が保たれ、かつ、点Ｐ、点Ｒ間の距離が、一定の長さ（線分ＢＣ（線分ＤＡ）の長さ）に保たれる。
【００６３】
次に、メインリンク４００が近接位置から分離位置に回動されたとき、第１のパーツ３１１、第２のパーツ３１２間の距離がどのように変化するかについて図１７を参照して説明する。
【００６４】
図１７に、メインリンク４００が近接位置にあるとき、垂直線ＶＬと線分ＡＰとの成す角度を“θ”で示す。さらに、線分ＡＰと線分ＰＱとの成す角度を“α”で示す。第１のパーツ３１１、第２のパーツ３１２は、垂直面を形成する（遊技者に正対する）。そのため、角度αは次の式で表される。
【００６５】
α＝π−θ        （１）
【００６６】
式（１）は、近接位置にあるメインリンク４００の角度θに応じて、第１のパーツ３１１等の角度αが変化することを意味する。
ここでは、角度θは約６３．５°であるが、これに限らず、角度θは、メインリンク４００や第１のパーツ３１１等の形やそれらの動きがどのように設計されるかによって変わる。設計上考えられる角度θの範囲は、例えば、（π／４＜θ＜π／２）である。
【００６７】
メインリンク４００は、近接位置から回動されると（図１７に回動角度を“β”で示す）、メインリンク４００は、分離位置に回動する。図１７に、垂直線ＶＬと線分ＡＰ´との成す角度を“θ”で示す。
線分Ｒ´Ｈの長さ（第１のパーツ３１１と第２のパーツ３１２間の距離）は、次の式で表される。なお、点Ｈは、直線Ｌ１と、点Ｒ´から直線Ｌ１に下した垂線との交点である。
【００６８】
ｄ＝ｄ１＊ｃｏｓ（π−２θ）          （２）
【００６９】
ここで、ｄは、線分Ｒ´Ｈの長さ、ｄ１は、線分Ｒ´Ｐ´（＝ＤＡ）の長さである。
前述するように、メインリンク４００が設計上の範囲（π／４＜θ＜π／２）で回動すると、
長さｄは、次の範囲となる。
【００７０】
０＜ｄ＜ｄ１          （３）
【００７１】
式（３）によれば、メインリンク４００が近接位置と分離位置との間で回動させたとき、第１のパーツ３１１、第２のパーツ３１２間の距離が０より長く保たれるため、第１のパーツ３１１と第２のパーツ３１２とが接しない。
【００７２】
図１２および図１５に示すように、第１のパーツ３１１および第２のパーツ３１２は、平行リンク機構４００Ａにより近接位置では、パーツ同士が近接されて一体となり、それらの面が前方（正面）に向けられ、分離位置では、パーツ同士が分離されるとともに、上方に移動し、かつ、それらの面が斜め上方に向けられる。
なお、平行リンク機構４００Ａにおいて、メインリンク４００等の構成部材の１以上が近接位置から分離位置に回動する方向に付勢されてもよい。それにより、近接位置から分離位置に回動されるときにおいて、モータ２０２の負担を軽減することが可能となる。さらに、モータ２０２の負担が軽減される分だけ、第１のパーツ３１１および第２のパーツ３１２が素早く分離されることとなる。
【００７３】
〔スライダクランク機構５００Ａ〕
次に、第２のパーツ３１２および第３のパーツ３１３を近接かつ分離させ、さらに、第２可動部３２０を進退させるスライダクランク機構について図１２、図１５、および図１７を参照して説明する。
【００７４】
図１２、図１５、および図１７に示すように、スライダクランク機構５００Ａは、ベース２０１、ブランチ部４３０、サブリンク５００、および、スライダを有する。
【００７５】
（ブランチ部４３０）
ブランチ部４３０はメインリンク４００と一体的に形成される。それにより、ブランチ部４３０は、軸部材２１１（支点Ａ）を中心にメインリンク４００と一体的に回動するように構成される。ブランチ部４３０は、メインリンク４００の後端部側から略下方向に延ばされ、延ばされた端部に長穴４３１が設けられる（図１２参照）。
【００７６】
（サブリンク５００）
サブリンク５００は、ベース２０１に軸部材２１５（支点Ｅ）により前後方向に回動可能に支持される。サブリンク５００は、軸部材２１５側から略上方に延ばされ、延ばされた端部に軸部材２１６（支点Ｆ）が設けられる。
【００７７】
サブリンク５００には、第３のパーツ３１３および第２可動部３２０が固定される。サブリンク５００の下端部側に第３のパーツ３１３が配置され、サブリンク５００の上端部側に第２可動部３２０が配置される。
【００７８】
（スライダ）
図１７に、後方位置におけるスライダを“Ｇ”、前方位置におけるスライダを“Ｇ´”で示す。スライダは、サブリンク５００の端部に設けられた軸部材２１６により構成される。ブランチ部４３０の端部には長穴４３１が設けられる。長穴４３１は、略上下方向を長手方向（ブランチ部４３０の長手方向でもある）にして形成される。長穴４３１に軸部材２１６が長手方向に移動可能に嵌合される。
【００７９】
（スライダクランク機構５００Ａの働き）
以上のように構成されたスライダクランク機構５００Ａの働きについて、図１７を参照して説明する。
【００８０】
図１７に、軸部材２１５、２１６を支点Ｅ、Ｆで示す。さらに、後方位置における第３のパーツ３１３を線分ＥＪで示し、ブランチ部４３０を線分ＡＦで示し、サブリンク５００を線分ＥＦで示す。さらに、前方位置における第３のパーツ３１３を線分ＥＪ´で示し、ブランチ部４３０を線分ＡＦ´で示し、サブリンク５００を線分ＥＦ´で示す。線分ＥＦの長さは約７５ｍｍである。さらに、線分ＥＪの長さは約４１ｍｍである。
【００８１】
次に、メインリンク４００の動きとサブリンク５００の動きとの関係について、図１７を参照して説明する。なお、メインリンク４００が軸部材２１１（支点Ａ）回りにブランチ部４３０と一体的に回動され、かつ、ブランチ部４３０が軸部材２１６（支点Ｆ）を介してサブリンク５００に連結されるから、ブランチ部４３０の動きとサブリンク５００の動きとの関係を明らかにすることにより、メインリンク４００の動きとサブリンク５００の動きとの関係を説明することができる。ちなみに、ブランチ部４３０の動きは、線分ＡＦの動きで表される。さらに、サブリンク５００の動きは、線分ＥＦの動きで表される。
【００８２】
後方位置における線分ＡＦの長さは約５５ｍｍである。さらに、前方位置における線分ＡＦ´の長さは約５５ｍｍである。
【００８３】
後方位置から前方位置に回動するとき線分ＡＦの速度ｖ１は次の式で表される。
【００８４】
ｖ１＝ｒ１＊ω１        （４）
【００８５】
ここで、ｒ１は、線分ＡＦの長さ、ω１は線分ＡＦの角速度である。
【００８６】
また、後方位置から前方位置に回動するときの線分ＥＦの速度ｖ２は次の式で表される。
【００８７】
ｖ２＝ｒ２＊ω２        （５）
【００８８】
ここで、ｒ２は、線分ＥＦの長さ、ω２は線分ＥＦの角速度である。
【００８９】
支点Ｆにおいて、線分ＡＦの速度ｖ１と、線分ＥＦの速度ｖ２とは同じであるため（ｖ１＝ｖ２）、次の式が成り立つ。
【００９０】
ω１／ω２＝ｒ２／ｒ１        （６）
【００９１】
線分ＡＦの長さ（ｒ１）は、約５５ｍｍであり、線分ＥＦの長さ（ｒ２）は、約７５ｍｍであるから、
【００９２】
ω１／ω２≒１．４          （７）
【００９３】
すなわち、スライダクランク機構５００Ａにおいて、後方位置から前方位置にブランチ部４３０（これと一体的に回動されるメインリンク４００、第２のパーツ３１２）、サブリンク５００（これと一体的に回動される第２可動部３２０）が回動されるとき、ブランチ部４３０の角速度ω１は、サブリンク５００の角速度ω２より約１．４倍速いことがわかる。
【００９４】
以上のように、線分ＡＦの長さに対し、線分ＥＦの長さを長くすることで、ブランチ部４３０（メインリンク４００、第２のパーツ３１２）の角速度がサブリンク５００（第２可動部３２０）の角速度ω２より速くなる。
【００９５】
同様に、前方位置から後方位置に回動するとき線分ＡＦ´の速度も上式（４）で表される。さらに、前方位置から後方位置に回動するとき線分ＥＦ´の速度も上式（５）で表される。すなわち、スライダクランク機構５００Ａにおいて、前方位置から後方位置にブランチ部４３０（これと一体的に回動されるメインリンク４００、第２のパーツ３１２）、サブリンク５００（これと一体的に回動される第２可動部３２０）が回動されるとき、ブランチ部４３０（メインリンク４００、第２のパーツ３１２）の角速度ω１は、サブリンク５００（第２可動部３２０）の角速度ω２より約１．４倍速いことがわかる。
【００９６】
前方位置と後方位置との間の中間位置において、線分ＥＦの長さが線分ＡＦの長さより長く保たれる。ちなみに、線分ＥＦの長さが一定の約７５ｍｍであるのに対し、線分ＡＦの長さは、約４７ｍｍから約５５ｍｍの範囲となる。このように、線分ＡＦの長さに対し、線分ＥＦの長さを長くすることで、ブランチ部４３０（メインリンク４００、第２のパーツ３１２）の角速度がサブリンク５００（第２可動部３２０）の角速度ω２より速くなる。
【００９７】
次に、メインリンク４００が近接位置（後方位置）から分離位置（前方位置）に回動されたとき、第３のパーツ３１３、第２可動部３２０がどのような動きをするかについて、図１２および図１７を参照して説明する。
【００９８】
（後方位置）
図１７に、後方位置における第１のパーツ３１１、第２のパーツ３１２、第３のパーツ３１３およびサブリンク５００を、線分ＲＳ、線分ＰＱ、線分ＥＪ、および、線分ＥＦで示す。
【００９９】
図１２に示すように、後方位置において、第２のパーツ３１２の先端（点Ｑ）と第３のパーツ３１３の先端（点Ｊ）とが近接され、両者間に隙間（遊技者側から見たときの隙間）は生じていない。それにより、遊技者は、隙間を通して、第２のパーツ３１２、第３のパーツ３１３の背後にある第２可動部３２０を視認できない。
【０１００】
また、前述するように、後方位置（近接位置）では、第１のパーツ３１１、第２のパーツ３１２、および、第３のパーツ３１３において、隣接するパーツ同士が相互に近接されるため、これらが一体となり、鬼の面が形成される。
【０１０１】
図１２および図１７に示すように、後方位置において、サブリンク５００は、後方に倒れた状態にある。このため、第２可動部３２０も後方に倒れた状態にある。しかし、第３のパーツ３１３はサブリンク５００に対し、所定角度（図１７でその角度をδで示す）だけ前方に傾いて取り付けられるため、第３のパーツ３１３の面は、ほぼ前方（正面）に向けられる。
【０１０２】
（後方位置〜前方位置）
図１７に示すように、メインリンク４００が軸部材２１１（支点Ａ）を中心に反時計回りに回動し、後方位置から前方位置へ向かって移動すると、軸部材２１６（支点Ｆ）が長穴４３１に沿って移動しつつ、長穴４３１の縁部から力を受ける。それにより、サブリンク５００が軸部材２１５（支点Ｅ）を中心に時計回りに回動し、やがて、サブリンク５００が略垂直に立ち上がった状態になる。サブリンク５００の回動角度を図１７に“γ”で示す。
【０１０３】
第３のパーツ３１３および第２可動部３２０もサブリンク５００と一体に回動する。前述するように、第３のパーツ３１３は、所定角度傾いてサブリンク５００に取り付けられるため、前方に倒れ、その面が下方に向けられる。
【０１０４】
図１７に、前方位置における、第１のパーツ３１１、第２のパーツ３１２、第３のパーツ３１３およびサブリンク５００を、線分Ｒ´Ｓ´、線分Ｐ´Ｑ´、線分ＥＪ´、および、線分ＥＦ´で示す。
【０１０５】
前方位置では、第１のパーツ３１１と第２のパーツ３１２とが分離される（前述する）。さらに、第２のパーツ３１２と第３のパーツ３１３とが分離され、第２のパーツ３１２の先端（点Ｑ´）と第３のパーツ３１３の先端（点Ｊ´）との間に、大きな隙間が生じる。この実施形態では、約８０ｍｍの隙間が生じる。これは、第２可動部３２０の上下方向の大きさ（前述する）に相当する。
【０１０６】
サブリンク５００が略垂直に立ち上がった状態になるため、第２可動部３２０も立ち上がって、前記隙間が生じた位置（前方位置）に移動する。それにより、遊技者は、第２のパーツ３１２、第３のパーツ３１３の間に生じた隙間を通して、第２可動部３２０を視認可能となる。
【０１０７】
（後方位置〜前方位置における第２可動部３２０および第２のパーツ３１２の関係）
この実施形態では、第２可動部３２０が立ち上がる所、すなわち、前方位置には、近接位置における第２のパーツ３１２が配置される。
【０１０８】
そのため、従来技術のように、第２のパーツ３１２が分離動作をして空いた所に、第２可動部３２０を立ち上がらせることも考えられるが、それでは、第２のパーツ３１２、第３のパーツ３１３の間に隙間が生じ、しばらくしてから、立ち上がってきた第２可動部３２０を、遊技者が隙間を通して視認するため、第２のパーツ３１２および第２可動部３２０が相対的に変化するときの速度が緩慢で、遊技者の興趣を高めるに至らない。
【０１０９】
そのため、この実施形態では、前述するように、線分ＡＦの長さに対し、線分ＥＦの長さを長くした。それにより、メインリンク４００と一体的に回動する第２のパーツ３１２の回動速度がサブリンク５００と一体的に回動する第２可動部３２０の回動速度よりわずかに大きくなるように構成される。
【０１１０】
この構成により、第２可動部３２０の立ち上がり動作（前方移動）と、第２のパーツ３１２が分離される動作（前方移動）とが同時に行われても、サブリンク５００は第２のパーツ３１２より後方にあって、かつ、前方移動するときの速度が遅いため、互いに干渉しない。前方移動が同時に行われるため、第２のパーツ３１２、第３のパーツ３１３の間に隙間が生じた直後に、第２可動部３２０が立ち上がり、その第２可動部３２０を、遊技者が隙間を通して視認するため、第２のパーツ３１２および第２可動部３２０が相対的に変化するときの速度が急となり（早変わり）、遊技者の興趣を高めることが可能となる。
【０１１１】
（前方位置〜後方位置）
図１７に示すように、メインリンク４００が軸部材２１１（支点Ａ）を中心に時計回りに回動し、前方位置から後方位置へ向かって移動すると、軸部材２１６（支点Ｆ）が長穴４３１に沿って移動しつつ、長穴４３１の縁部から力を受ける。それにより、サブリンク５００が軸部材２１５（支点Ｅ）を中心に反時計回りに回動し、やがて、サブリンク５００が後方に倒れた状態になる。
【０１１２】
第３のパーツ３１３および第２可動部３２０もサブリンク５００と一体に回動する。サブリンク５００が後方へ倒れた状態になるため、第２可動部３２０も後方に倒れた後方位置に移動する。前述するように、第３のパーツ３１３は、所定角度傾いてサブリンク５００に取り付けられるため、略上方に起き上がり、その面がほぼ前方に向けられる。
【０１１３】
図１２および図１３に示すように、メインリンク４００の後方移動により、第１のパーツ３１１、第２のパーツ３１２が近接される。それらの面がほぼ前方に向けられる。第１のパーツ３１１、第２のパーツ３１２、および、第３のパーツ３１３は、隣接するパーツ同士が近接され、一体となり、鬼の面を形成する。第２のパーツ３１２と第３のパーツ３１３との間の隙間も閉じられる。遊技者は、隙間を通して、第２可動部３２０を視認できない。
【０１１４】
（前方位置〜後方位置における第２可動部３２０および第２のパーツ３１２の関係）
前述したように、メインリンク４００と一体的に回動される第２のパーツ３１２の回動速度がサブリンク５００と一体的に回動する第２可動部３２０の回動速度よりわずかに大きくなるように構成される。
【０１１５】
この構成により、第２可動部３２０が後方へ倒れる動作（後方移動）と、第２のパーツ３１２が近接される動作（後方移動）とが同時に行われると、回動速度の速い第２のパーツ３１２が回動速度の遅い第２可動部３２０に追いつき、それに干渉すると一見思われる。
【０１１６】
しかし、第２のパーツ３１２が後方位置に移動する前には、第２可動部３２０が立ち上がり位置（前方位置）から移動しているため、干渉することはない。後方移動が同時に行われるため、第２のパーツ３１２、第３のパーツ３１３の間に隙間が閉じられる直前に、第２可動部３２０が後方へ倒れ、遊技者は、隙間を通して、第２可動部３２０を視認できないため、第２のパーツ３１２および第２可動部３２０が相対的に変化するときの速度が急となり（早変わり）、遊技者の興趣を高めることが可能となる。
【０１１７】
（第１の動力伝達機構）
次に、メインリンク４００に動力を伝えるための第１の動力伝達機構について図７及び図８を参照して説明する。
【０１１８】
図７および図８に示すように、第１の動力伝達機構は、モータ２０２と、ピニオン２０３と、セクタギア２０４とを有する。
【０１１９】
モータ２０２は、ベース２０１に固定される。モータ２０２が「第１動力源」に相当する。ピニオン２０３は、モータ２０２の出力軸に減速ギア（図示省略）を介して連結される。セクタギア２０４は、メインリンク４００に固定される。セクタギア２０４はピニオン２０３に噛み合わされる。前述するように、メインリンク４００と一体的に形成されるブランチ部４３０の長穴４３１に、サブリンク５００の先端部が軸部材２１６（支点Ｆ）を介して連結される。
【０１２０】
セクタギア２０４は被検出片２０４ａを有する。セクタギア２０４の被検出片２０４ａの回動軌跡上に光センサ２０５が配置される。光センサ２０５は、それらの間に検出光の光路が形成される発光素子と受光素子とを有する。光路が被検出片２０４ａにより遮られるとき、受光素子からの信号に基づいてセクタギア２０４（第１可動部３１０）が近接位置にあると制御部（図示省略）により判断され、光路が被検出片２０４ａにより遮られないとき、受光素子からの信号に基づいてセクタギア２０４（第１可動部３１０）が分離位置にあると制御部により判断される。
【０１２１】
以上の構成により、モータ２０２からの動力がメインリンク４００を介してサブリンク５００に伝達されるように構成される。
【０１２２】
図１２および図１５に示すように、モータ２０２が正方向に回転すると、ピニオン２０３を介してセクタギア２０４が軸部材２１１（支点Ａ）を中心に回動される。それにより、メインリンク４００が時計回りに回動される。それにより、第１のパーツ３１１および第２のパーツ３１２が近接動作される。さらに、サブリンク５００が軸部材２１５（支点Ｅ）を中心に反時計回りに回動される。それにより、第３のパーツ３１３および第２可動部３２０が反時計回りに回動され、第３のパーツ３１３は近接動作され、第２可動部３２０は後方位置に移動される。
【０１２３】
モータ２０２が逆方向に回転すると、ピニオン２０３を介してセクタギア２０４が軸部材２１１（支点Ａ）を中心に回動される。それにより、メインリンク４００が反時計回りに回動される。それにより、第１のパーツ３１１および第２のパーツ３１２が分離動作される。さらに、サブリンク５００が軸部材２１５（支点Ｅ）を中心に時計回りに回動される。それにより、第３のパーツ３１３および第２可動部３２０が時計回りに回動され、第３のパーツ３１３は分離動作され、第２可動部３２０は前方位置に移動される。
【０１２４】
（第３可動部３３０の取り付け）
次に、第３可動部３３０の取り付けについて図１８〜図２５を参照して説明する。
【０１２５】
図１８は第３可動部３３０が閉じ位置にあるときの第２可動部３２０の正面図、図１９は、第３可動部３３０が開き位置にあるときの第２可動部３２０の正面図、図２０は、開き位置にある第３可動部３３０、上向き位置にある第４可動部３４０、および、それらを連動させる機構の左側面図、図２１は、閉じ位置にある第３可動部３３０、前向き位置にある第４可動部３４０、および、それらを連動させる機構の左側面図、図２２は、図２０に示す第３可動部３３０等を左側（背後）から見たときの背面図、図２３は、図２１に示す第３可動部３３０等を左側（背後）から見たときの背面図、図２４は、閉じ位置における第３可動部３３０および前向き位置における第４可動部３４０等の模式図、図２５は、開き位置における第３可動部３３０および上向き位置における第４可動部３４０等の模式図である。
【０１２６】
図１８、図２１、図２３に、下顎形状の第３可動部３３０によりダルマの口が閉じられた状態を示し、さらに、図１９、図２０および図２２に、下顎形状の第３可動部３３０により、ダルマの口を開かれた状態を示す。さらに、図２４および図２５に、第２可動部３２０、第３可動部３３０、第４可動部３４０、第１アーム６１０、および、第２アーム６２０を線分で示す。
【０１２７】
図１８、図２１、図２３、図２４および図２５に示すように、第２可動部３２０が固定されるサブリンク５００には、第１アーム６１０が略水平軸（図２４に示す支点Ｍ）回りに回動可能に支持される。第１アーム６１０は、略水平軸の位置から斜め下方に延ばされた一端部６１０ａと、略水平軸の位置から略上方に延ばされた他端部６１０ｂと、略水平軸の位置から略後方に延ばされ、ソレノイド６３０からの動力を受ける受動用端部６１０ｃと、を有する。受動用端部６１０ｃの先端部には、水平軸（図２４に示す軸Ｋ）が固定される。
【０１２８】
第１アーム６１０の一端部６１０ａに、ダルマの下顎形状を有する第３可動部３３０が固定される。そのため、第３可動部３３０は、第１アーム６１０を介して水平軸（支点Ｍ）回りに閉じ位置（図２１、図２３および図２４参照）と開き位置（図２０、図２２および図２５参照）との間を回動可能に支持される。
【０１２９】
（第４可動部３４０の取り付け）
次に、第４可動部３４０の取り付けについて図１８〜図２５を参照して説明する。
【０１３０】
図１８〜図２５に示すように、第２可動部３２０の背面部材には、第２アーム６２０が略水平軸（図２４に示す支点Ｎ）回りに回動可能に支持される。かつ、第２アーム６２０が巻きばね（図示省略）により時計回りの方向に付勢される。第２アーム６２０は被当接片６２１を有する。それにより、第２アーム６２０に外力がかからなければ、第２アーム６２０は付勢される力により、上向き位置（図２０、図２２および図２５参照）から前向き位置（図２１、図２３および図２４参照）に回動される。
【０１３１】
第２アーム６２０に、ダルマの眼球形状を有する第４可動部３４０が固定される。実施形態では、第２アーム６２０と第４可動部３４０とは、一体的に形成されるものであって、第４可動部３４０が半球形状（球体の前半分）に形成され、その円周状縁を略後方（図２４でＹ２方向）に向けて配置され、円周状縁の下部から略後方に、第２アーム６２０が舌片状に延設される。
【０１３２】
第４可動部３４０が前向き位置にあるとき、第２アーム６２０が略水平軸（支点Ｎ）を中心に反時計回りに回動されると、第４可動部３４０が上向き位置に回動される。
【０１３３】
〔連動機構６００Ａ等〕
次に、第３可動部３３０および第４可動部３４０を連動させる連動機構６００Ａ、および、第３可動部３３０、第４可動部３４０のいずれか一方に動力を伝える機構について、図１８〜図２５を参照して説明する。
【０１３４】
連動機構６００Ａは、第３可動部３３０を閉じ位置から開き位置に可動させるとともに、第４可動部３４０を前向き位置から上向き位置に回動させ、かつ、第３可動部３３０を開き位置から閉じ位置に可動させるとともに、第４可動部３４０を上向き位置から前向き位置に回動させるように構成される。
【０１３５】
ここで、第３可動部３３０、連動機構６００Ａを構成する部材の位置を説明する場合、第３可動部３３０が閉じ位置にあるときの各部材の位置を「閉じ位置」という場合がある。さらに、第３可動部３３０が開き位置にあるときの各部材の位置を「開き位置」という場合がある（図２４参照）。
【０１３６】
さらに、原則として、第４可動部３４０についての説明では、「前向き位置」、「上向き位置」が用いられ、第３可動部３３０、連動機構６００Ａの構成部材についての説明では、「閉じ位置」、「開き位置」が用いられる。しかし、第３可動部３３０、連動機構６００Ａの構成部材が「閉じ位置」にあるとき、第４可動部３４０が「前向き位置」にあるため、例外的に、「閉じ位置」をこのときの第４可動部３４０についての説明に用い、「前向き位置」をこのときの第３可動部３３０、連動機構６００Ａの構成部材についての説明に用いる場合がある。
【０１３７】
同様に、第３可動部３３０、連動機構６００Ａの構成部材が「開き位置」にあるとき、第４可動部３４０が「上向き位置」にあるため、例外的に、「開き位置」をこのときの第４可動部３４０についての説明に用い、「上向き位置」をこのときの第３可動部３３０、連動機構６００Ａの構成部材についての説明に用いる場合がある。
【０１３８】
第３可動部３３０、連動機構６００Ａの構成部材において、「閉じ位置」から「開き位置」に回動されるときの動作を、「開き動作」という場合がある。さらに、「開き位置」から「閉じ位置」に回動されるときの動作を、「閉じ動作」という場合がある。
【０１３９】
図１８〜図２５に示すように、第２動力源としてソレノイド６３０を有する。ソレノイド６３０は、その本体から出没可能に設けられたシリンダロッド６３１（図２４参照）および、圧縮ばね（図示省略）を有し、圧縮ばねによりシリンダロッド６３１が突出される方向（図２４において下方）に付勢され、電力が供給されたとき、付勢される力に抗してシリンダロッド６３１が没入されるように構成される。
【０１４０】
サブリンク５００には、スライダ６４０が略上下方向に案内可能に設けられる。スライダ６４０はガイド部（図示省略）を有する。ガイド部には水平軸（軸Ｋ）が前後方向に移動可能に嵌合される。スライダ６４０が上方（Ｚ１方向）に移動されると、水平軸（軸Ｋ）がガイド部に対し前方（Ｙ１方向）に移動されながら、上方に移動されることで、第１アーム６１０が図２１、図２４において時計回りに回動され、かつ、スライダ６４０が下方（Ｚ２方向）に移動されると、水平軸（軸Ｋ）がガイド部に対し後方（Ｙ２方向）に移動されながら、下方に移動されることで、第１アーム６１０が図２１、図２４において反時計回りに回動されるように構成される。シリンダロッド６３１に固定されるスライダ６４０は、圧縮ばね（図示省略）により下方（Ｚ２方向）に付勢される。
【０１４１】
ソレノイド６３０は、電力が供給されたとき、シリンダロッド６３１が没入されることにより、付勢される力に抗してスライダ６４０を上方に移動させ（図２０参照）、電力が供給されないとき、付勢力により、シリンダロッド６３１が突出されることにより、スライダ６４０を下方に移動させる（図２１参照）。
【０１４２】
第１アーム６１０の他端部６１０ｂの回動軌跡上に第２アーム６２０が配置される。第１アーム６１０の他端部６１０ｂに第２アーム６２０が当接されることにより、第２アーム６２０が第１アーム６１０に連動するように構成される。
【０１４３】
図２１に示すように、第１アーム６１０が閉じ位置にあり、第２アーム６２０が前向き位置にあるときにおいて、第１アーム６１０の他端部６１０ｂ（当接する位置）と第２アーム６２０（当接される位置）との間には約１０ｍｍの隙間が形成される。当接する位置から支点Ｍまでの距離は、約１４ｍｍである。すなわち、第１アーム６１０が支点Ｍ回りに約４５°回動すると、当接する位置と当接される位置とが一致する。
【０１４４】
それにより、第１アーム６１０がソレノイド６３０の動力により支点Ｍを中心に図２４において時計回りに約４５°回動され、第２アーム６２０に当接されると、第２アーム６２０が付勢される力に抗して図２４において支点Ｎを中心に反時計回りに回動される。さらに、第１アーム６１０が時計回りに回動されると、第２アーム６２０が反時計回りに回動される。そして、第１アーム６１０が開き位置に回動されると、第２アーム６２０が上向き位置に回動される。
【０１４５】
図２１に示すように、第３可動部３３０が閉じ位置にあるとき、眼球形状の第４可動部３４０が前向き位置にある。このとき、ソレノイド６３０に電力が供給されず、スライダ６４０は下方位置にある。
【０１４６】
ソレノイド６３０に電力が供給されると、ソレノイド６３０により圧縮ばねの付勢力に抗してスライダ６４０が上方に移動される。それにより、第１アーム６１０が図２１において略水平軸回りに時計回りに回動され、第１アーム６１０が第２アーム６２０の被当接片６２１に当接し、第２アーム６２０が巻きばねの付勢力に抗して略水平軸回りに反時計まわりに回動し、図２０に示すように、第４可動部３４０が上向き位置に回動されるとともに、第３可動部３３０が開き位置に回動される。
【０１４７】
ソレノイド６３０に電力が供給されないと、スライダ６４０が付勢力により下方に移動される。それにより、第１アーム６１０が図２０において略水平軸（支点Ｍ）を中心に反時計回りに回動され、第１アーム６１０が第２アーム６２０の被当接片６２１から離れようとするが、第２アーム６２０が巻きばねの付勢力により、第１アーム６１０に追従し、第２アーム６２０が略水平軸（支点Ｎ）を中心に時計回りに回動され、図２１に示すように、第４可動部３４０が前向き位置に回動されるとともに、第３可動部３３０が閉じ位置に回動される。
【０１４８】
前記実施形態では、第２のパーツ３１２と第３のパーツ３１３とが分離され、それらの間に隙間が生じるとともに、第２可動部３２０が後方位置から前方位置（隙間の位置）に進出されて、隙間を通して第２可動部３２０を視認可能となるので、第１可動部３１０および第２可動部３２０の二つの可動部が関係性を保ちながら、急激に変化するので、遊技の興趣が高まる。
さらに、前記実施形態では、前方位置に移動された第２可動部３２０において、第３可動部３３０および第４可動部３４０が変化するので、さらに、遊技の興趣が高まる。
【０１４９】
（各部材における動きの関連性）
次に、演出装置９０、第１可動部３１０、第２可動部３２０、第３可動部３３０、第４可動部３４０における動きの関連性について、図６、図７、図１５、図１６、図２６、図２７を参照して説明する。
【０１５０】
図１６は、第３可動部３３０が閉じ位置にあるときの可動装置２００の正面図、図２６は第３可動部３３０が開き位置にあるときの可動装置２００の正面図、図２７は、第５の態様、第６の態様における各部材の位置、動きを一覧に示す図である。
【０１５１】
前記実施形態では、第２の態様〜第３の態様において、第１可動部３１０が分離位置に移動され（第２のパーツ３１２と第３のパーツ３１３との間に隙間が形成され）、第２可動部３２０が図７に示す後方位置から図１５に示す前方位置に移動され、隙間を通して遊技者により第２可動部３２０が視認されるとき、第３可動部３３０が閉じ位置に保たれ、第４可動部３４０が前向き位置に保たれるように構成される（図６参照）。
【０１５２】
これに限らず、図２７に示す第５の態様のように、第２可動部３２０が後方位置から前方位置に移動されるとき、第３可動部３３０が閉じ位置から開き位置に回動され、第４可動部３４０が前向き位置から上向き位置に回動されるように構成されてもよい。第５の態様では、面白味のある第３可動部３３０、第４可動部３４０をもった第２可動部３２０が突然出現するので、遊技の興趣が高まる。
【０１５３】
さらに、前記実施形態では、第２の態様〜第３の態様において、第１可動部３１０が近接位置に移動され、第２可動部３２０が前方位置から後方位置に移動され、第１可動部３１０に覆われて、遊技者により第２可動部３２０が視認できないとき、第３可動部３３０が閉じ位置に保たれ、第４可動部３４０が前向き位置に保たれるように構成される（図６参照）。
【０１５４】
これに限らず、図２７に示す第６の態様のように、第２可動部３２０が前方位置から後方位置に移動されるとき、第３可動部３３０が開き位置から閉じ位置に回動され、第４可動部３４０が上向き位置から前向き位置に回動されるように構成されてもよい。第６の態様では、わざわざ第３可動部３３０を閉じ位置にし、第４可動部３４０を前向き位置にしてから、第２可動部３２０を後方位置に移動させる必要がなく、第２可動部３２０等が変化するときの迅速性が増して、遊技の興趣が高まる。
【０１５５】
さらに、前記実施形態では、図６に示す第１の態様および第２の態様のように、第２可動部３２０が後方位置にあるとき、第３可動部３３０は閉じ位置に保たれ、第４可動部３４０は前向き位置に保たれるように構成されるが、図２７に示す第７の態様のように、第３可動部３３０が開き位置に保たれ、第４可動部３４０が上向き位置に保たれるように構成されてもよい。
【０１５６】
前記実施形態では、第１可動部３１０として、第１のパーツ３１１、第２のパーツ３１２、および、第３のパーツ３１３が備えられ、そのうちの第２のパーツ３１２と第３のパーツ３１３とが分離されたときに生じた隙間を通して、第２可動部３２０が前方から視認可能なものを示したが、これに限らない。例えば、少なくとも二つのパーツが備えられ、そのうちの隣接するパーツ同士が近接され、かつ、分離され、分離されたときに生じた隙間の一つを通して、第２可動部３２０が前方から視認可能なものであればよい。
【０１５７】
さらに、前記実施形態では、第２のパーツ３１２に設けられる眼球の形状（鬼の眼球に相当する）を光らせるための発光ダイオードと、第４可動部３４０に設けられる眼球の形状（ダルマの眼球に相当する）を光らせるための発光ダイオードと、を別々に設けたものを示したが、これに限定されない。例えば、第４可動部３４０側の発光ダイオードの前方に光学系（例えば、凸レンズ）が配置され、光学系により、発光ダイオードからの光の進行方向が第２のパーツ３１２に設けられる眼球の形状に向けられるように構成されてもよい。それにより、第２のパーツ３１２側の発光ダイオードが不要となる。
【０１５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態やその変形は、発明の範囲や要旨に含まれるととともに、特許請求の範囲に記載された発明とその均等の範囲に含まれる。
【符号の説明】
【０１５９】
１  遊技機
１０  外枠
１１  腰板ユニット
１２  中枠
１３  ヒンジ
１４  前枠（ガラス枠）
２０  打球装置
３０  上皿
４０  下皿
５０  スピーカ
７０  遊技盤
７１  外レール
７２  内レール
７４  遊技領域
７５  装飾ランプ
７６  入賞口
７７  アウト球口
７８  図柄表示部
７９  始動口
８０  大入賞口
８０ａ  開閉扉
９０  演出装置
１００  センター役物
１００ａ  枠体上部
１００ｂ  枠体下部
２００  可動装置
２０１  ベース
２０２  モータ
２０３  ピニオン
２０４  セクタギア
２０５  光センサ
２１１  軸部材（支点Ａ）
２１２  軸部材（支点Ｂ）
２１３  軸部材（支点Ｃ）
２１４  軸部材（支点Ｄ）
２１５  軸部材（支点Ｅ）
２１６  軸部材（支点Ｆ）
３１０  第１可動部
３１１  第１のパーツ
３１２  第２のパーツ
３１３  第３のパーツ
３２０  第２可動部
３３０  第３可動部
３４０  第４可動部
４００Ａ  平行リンク機構
４００  メインリンク
４１０  第１リンク部
４２０  第２リンク部
４３０  ブランチ部
４３１  長穴
５００Ａ  スライダクランク機構
５００  サブリンク
６００Ａ  連動機構
６１０  第１アーム
６１０ａ  一端部
６１０ｂ  他端部
６１０ｃ  受動用端部
６２０  第２アーム
６２１  被当接片
６３０  ソレノイド
６４０  スライダ
【図１】
0006054826.tif 000002
【図２】
0006054826.tif 000003
【図３】
0006054826.tif 000004
【図４】
0006054826.tif 000005
【図５】
0006054826.tif 000006
【図６】
0006054826.tif 000007
【図７】
0006054826.tif 000008
【図８】
0006054826.tif 000009
【図９】
0006054826.tif 000010
【図１０】
0006054826.tif 000011
【図１１】
0006054826.tif 000012
【図１２】
0006054826.tif 000013
【図１３】
0006054826.tif 000014
【図１４】
0006054826.tif 000015
【図１５】
0006054826.tif 000016
【図１６】
0006054826.tif 000017
【図１７】
0006054826.tif 000018
【図１８】
0006054826.tif 000019
【図１９】
0006054826.tif 000020
【図２０】
0006054826.tif 000021
【図２１】
0006054826.tif 000022
【図２２】
0006054826.tif 000023
【図２３】
0006054826.tif 000024
【図２４】
0006054826.tif 000025
【図２５】
0006054826.tif 000026
【図２６】
0006054826.tif 000027
【図２７】
0006054826.tif 000028